(57)【要約】【課題】  信号の減衰を防止し、素子内でインピーダンスマッチングが取れるＳＡＷフィルタモジュールおよび信号伝送装置を提供する。【解決手段】  ＳＡＷフィルタモジュール１０は、ＳＡＷフィルタ２０と、前記ＳＡＷフィルタ２０の入力側および出力側に接続されたマッチング回路と、前記ＳＡＷフィルタ２０の入力側および出力側の少なくともいずれか一方に接続された信号増幅回路と、を備えた構成である。そしてマッチング回路、またはマッチング回路と信号増幅回路は、バッファ３２，３４を構成している。【選択図】    図１
2007049483.tif 000002
【特許請求の範囲】
【請求項１】
ＳＡＷフィルタと、
前記ＳＡＷフィルタの入力側および出力側の少なくともいずれか一方に接続された信号増幅回路と、
を備えたことを特徴とするＳＡＷフィルタモジュール。
【請求項２】
前記ＳＡＷフィルタの入力側および出力側に接続されたマッチング回路を更に備えたことを特徴とする請求項１に記載のＳＡＷフィルタモジュール。
【請求項３】
ＩＣチップ内の入力側バッファおよび出力側バッファにマッチング回路を設けるとともに、前記入力側バッファおよび前記出力側バッファの少なくともいずれか一方に信号増幅回路を設け、
ＳＡＷフィルタおよび前記ＩＣチップをパッケージに実装して、前記ＳＡＷフィルタを前記ＩＣチップの前記入力側バッファと前記出力側バッファとの間に接続した、
ことを特徴とするＳＡＷフィルタモジュール。
【請求項４】
送信側ＩＣチップおよびクロック信号を出力する発振器を備えた送信段から受信側ＩＣチップへ前記クロック信号に同期させてデータ信号を出力する信号伝送装置であって、
前記送信段から受信側ＩＣチップへ前記クロック信号を導くクロック信号伝送ラインにＳＡＷフィルタモジュールを設け、
前記ＳＡＷフィルタモジュールは、
ＳＡＷフィルタと、
前記ＳＡＷフィルタの入力側および出力側に接続されたマッチング回路と、
前記ＳＡＷフィルタの入力側および出力側の少なくともいずれか一方に接続された信号増幅回路とを備えた、
ことを特徴とする信号伝送装置。
【発明の詳細な説明】
【技術分野】
【０００１】
本発明は、弾性表面波（ＳＡＷ）フィルタモジュールおよび信号伝送装置に関するものである。
【背景技術】
【０００２】
送信側から受信側へデータ信号を伝送する信号伝送装置には、クロック信号に同期させてデータ信号を送信側から受信側へ伝送し、受信側でクロック信号に基づいてデータ信号の「０」，「１」の判定を行う構成のものがある。このような信号伝送装置は、受信側でクロック信号に基づいてデータ信号を読み取っているので、クロック信号にノイズが入ってジッタが発生すると、データ信号を正確に読み取れない問題があった。
【０００３】
そして高速で長距離の伝送を行う光通信では、クロック信号のジッタはデータ伝送エラーを発生させるため、クロック信号のジッタが十分小さいことが望まれている。このため光ネットワーク向けの光トランシーバ用モジュールでは、クロック信号のジッタを次のようにして解消している。すなわち光トランシーバ用モジュールは、電圧制御型弾性表面波発振器（ＶＣＳＯ）を用いた位相同期（ＰＬＬ）回路でクロック変換回路を構成して、これを内部に設けた構成としている。
【０００４】
この光トランシーバ用モジュールは、クロック変換回路でジッタの多い低周波クロックをジッタが低減された高周波のクロック信号に変換し、これをＮ個の送信データを１つの送信データに多重化するための基準クロック信号として用いている。なおクロック変換回路は、第１のバンドパスフィルタをＶＣＳＯのＰＬＬ帰還ループ用出力端子に接続するとともに、第２のバンドパスフィルタをＶＣＳＯ内の帰還バッファ用差動増幅器の出力端子に接続することで、ジッタの発生を抑制している（例えば、特許文献１を参照）。
【特許文献１】特開２００４−１２０３５２号公報  段落番号００５０，００５１，００７０および００７１を参照
【発明の開示】
【発明が解決しようとする課題】
【０００５】
送信側から受信側へデータ信号を伝送する信号伝送装置には、例えばコンピュータ等の電子機器に搭載される基板に実装された複数の集積回路（ＩＣ）チップ間でデータ信号の伝送を行うものがある。この場合、送信側ＩＣチップと受信側ＩＣチップが基板に実装されており、これらのＩＣチップにデータ信号が伝送されるデータ信号伝送ラインおよびクロック信号が伝送されるクロック信号伝送ラインが接続されている。
【０００６】
このデータ信号伝送ラインおよびクロック信号伝送ラインが引き回されている基板上には、データ信号の伝送に関与している送信側ＩＣチップおよび受信側ＩＣチップの他にも高速で動作しているＩＣチップ（他のＩＣチップ）がたくさん実装されている。このため他のＩＣチップで発生するノイズがクロック信号伝送ラインを伝送しているクロック信号に入ってしまい、クロック信号にジッタを発生させてしまう。このためクロック信号伝送ラインにＳＡＷフィルタを接続してノイズを取除き、クロック信号のみを通過させることにより、クロック信号にジッタが発生することを防ぐ提案がなされている。ところがＳＡＷフィルタは受動素子なので、クロック信号がＳＡＷフィルタを通過すると信号振幅が減衰してしまう。
【０００７】
またＳＡＷフィルタのインピーダンスは高いのでインピーダンスのマッチング回路をＳＡＷフィルタの前後に接続する必要があるが、上述した信号伝送ラインに限らず従来は、ＳＡＷフィルタの前後に接続される素子（ＩＣチップ）等にマッチング回路を設けて、インピーダンスマッチングを取っていた。すなわちマッチング回路は、信号伝送ラインを介してＳＡＷフィルタに接続されていた。ところがこの場合では、マッチング回路は、信号伝送ラインによってＳＡＷフィルタから長く引き伸ばされたところに設けられているので、そこでマッチングをとるのは難しく、所望のフィルタ特性が得られない場合もあった。
【０００８】
また前述したＰＬＬ回路を用いてジッタを解消する装置はとても高価である。
このため複数のＩＣチップ間でデータを送受信する信号伝送装置では、ＰＬＬ回路を用いてジッタを解消する装置を高価すぎて用いることができなかった。
【０００９】
本発明は、信号の減衰を防止し、モジュール内でインピーダンスマッチングが取れるＳＡＷフィルタモジュールを提供することを目的とする。
また本発明は、上述したＳＡＷフィルタモジュールを用いた信号伝送装置を提供することを目的とする。
【課題を解決するための手段】
【００１０】
上記目的を達成するために、本発明に係るＳＡＷフィルタモジュールは、ＳＡＷフィルタと、前記ＳＡＷフィルタの入力側および出力側の少なくともいずれか一方に接続された信号増幅回路と、を備えたことを特徴としている。これによりＳＡＷフィルタモジュールは、信号増幅回路でＳＡＷフィルタに入力される信号や、ＳＡＷフィルタから出力された信号を増幅することができる。したがってＳＡＷフィルタモジュールは、ＳＡＷフィルタで信号が減衰されても、このモジュールから減衰したままの信号が出力されるのを防止できる。
【００１１】
また本発明に係るＳＡＷフィルタモジュールは、前記ＳＡＷフィルタの入力側および出力側に接続されたマッチング回路を更に備えたことを特徴としている。ＳＡＷフィルタモジュールは、マッチング回路およびＳＡＷフィルタを備えているので、マッチング回路とＳＡＷフィルタを極めて短距離で接続することができる。したがってＳＡＷフィルタモジュールは、このモジュール内で容易にＳＡＷフィルタのマッチングを取ることができ、ＳＡＷフィルタモジュールに入力される信号を通過できるフィルタ特性を得ることができる。
【００１２】
また本発明に係るＳＡＷフィルタモジュールは、ＩＣチップ内の入力側バッファおよび出力側バッファにマッチング回路を設けるとともに、前記入力側バッファおよび前記出力側バッファの少なくともいずれか一方に信号増幅回路を設け、ＳＡＷフィルタおよび前記ＩＣチップをパッケージに実装して、前記ＳＡＷフィルタを前記ＩＣチップの前記入力側バッファと前記出力側バッファとの間に接続した、ことを特徴としている。
【００１３】
マッチング回路や信号増幅回路はＩＣチップによって形成されているので、ＳＡＷフィルタモジュールを小型化することができる。またＳＡＷフィルタモジュールは、パッケージにＩＣチップとＳＡＷフィルタを実装して、ＩＣチップとＳＡＷフィルタを電気的に接続すればよいので、容易に形成することができる。またＳＡＷフィルタモジュールは、信号増幅回路でＳＡＷフィルタに入力される信号や、ＳＡＷフィルタから出力された信号を増幅することができる。したがってＳＡＷフィルタモジュールは、ＳＡＷフィルタで信号が減衰されても、このモジュールから減衰したままの信号が出力されるのを防止できる。さらにＳＡＷフィルタモジュールは、マッチング回路およびＳＡＷフィルタを備えているので、マッチング回路とＳＡＷフィルタの距離を極めて近づけることができる。したがってＳＡＷフィルタモジュールは、このモジュール内で容易にＳＡＷフィルタのマッチングを取ることができ、ＳＡＷフィルタモジュールに入力されるノイズを除去できるフィルタ特性を得ることができる。
【００１４】
また本発明に係る信号伝送装置は、送信側ＩＣチップおよびクロック信号を出力する発振器を備えた送信段から受信側ＩＣチップへ前記クロック信号に同期させてデータ信号を出力する信号伝送装置であって、前記送信段から受信側ＩＣチップへ前記クロック信号を導くクロック信号伝送ラインにＳＡＷフィルタモジュールを設け、前記ＳＡＷフィルタモジュールは、ＳＡＷフィルタと、前記ＳＡＷフィルタの入力側および出力側に接続されたマッチング回路と、前記ＳＡＷフィルタの入力側および出力側の少なくともいずれか一方に接続された信号増幅回路とを備えた、ことを特徴としている。
【００１５】
ＳＡＷフィルタモジュール内でＳＡＷフィルタのインピーダンスマッチングが完結しているので、ＳＡＷフィルタはクロック信号を通過できるフィルタ特性を得ることができる。これによりＳＡＷフィルタモジュールは、ノイズに起因するジッタが発生していないクロック信号を受信側ＩＣチップに供給することができる。またＳＡＷフィルタモジュールは、その内部にクロック信号の増幅回路を備えているので、クロック信号伝送ラインを伝送しているクロック信号からノイズを除去しても、振幅が減衰していないクロック信号を受信側ＩＣチップに供給することができる。
【発明を実施するための最良の形態】
【００１６】
以下に、本発明に係るＳＡＷフィルタモジュールおよび信号伝送装置の最良の実施形態について説明する。図１はＳＡＷフィルタモジュールの説明図である。ＳＡＷフィルタモジュール１０は、ＳＡＷフィルタ２０とＩＣチップ３０をパッケージに実装して、これらを電気的に接続させた素子である。具体的には、ＳＡＷフィルタ２０は、圧電基板２４上にすだれ状電極（ＩＤＴ）２２を少なくとも２つ設けて所定の周波数の信号を通過させるものである。このＩＤＴ２２は一対の櫛歯２６から形成されている。各櫛歯２６は、複数の電極指２８を備えており、各電極指２８の基端を接続して構成されている。なおＳＡＷフィルタ２０は、ＩＤＴ２２を挟み込む位置に反射器を設けた構成であってもよい。
【００１７】
またＩＣチップ３０は、その入力側がＳＡＷフィルタモジュール１０の入力端子１２に接続されるとともに、その出力側がＳＡＷフィルタモジュール１０の出力端子１４に接続されている。このＩＣチップ３０の入力側および出力側には、それぞれマッチング回路が設けられている。またＩＣチップ３０の入力側および出力側の少なくともいずれか一方に信号増幅回路が設けられている。そしてＩＣチップ３０の入力側や出力側にマッチング回路が設けられる場合や、マッチング回路および信号増幅回路が設けられる場合、これらの回路はバッファ３２，３４を構成している。すなわちＩＣチップ３０の入力側および出力側に信号増幅回路、またはマッチング回路と信号増幅回路を備えたバッファ３２，３４がそれぞれ設けられている。
【００１８】
そしてＩＣチップ３０の入力側に設けられたバッファ（入力側バッファ）３２の入力は、ＳＡＷフィルタモジュール１０の入力端子１２に接続されている。入力側バッファ３２の出力は、ＳＡＷフィルタ２０の入力に接続されている。すなわち入力側バッファ３２の出力は、ＳＡＷフィルタ２０の入力側ＩＤＴ２２ａに接続されている。またＳＡＷフィルタ２０の出力、すなわちＳＡＷフィルタ２０の出力側ＩＤＴ２２ｂは、ＩＣチップ３０の出力側に設けられたバッファ（出力側バッファ）３４の入力に接続されている。この出力側バッファ３４の出力は、ＳＡＷフィルタモジュール１０の出力端子１４に接続されている。
【００１９】
またＩＣチップ３０は、ＳＡＷフィルタモジュール１０に設けられた電源電圧端子１６に接続されており、この電源電圧端子１６を介して各バッファ３２，３４に電源電圧Ｖｄｄ，Ｖｓｓが供給される。
【００２０】
次に、ＳＡＷフィルタモジュール１０の動作について説明する。なお、この説明では、入力側バッファ３２および出力側バッファ３４がインピーダンス回路および信号増幅回路を備えた構成とする。まずＳＡＷフィルタモジュール１０の入力端子１２に信号が入力されると、この信号は入力側バッファ３２に入力されて増幅される。そして増幅された信号は、ＳＡＷフィルタ２０の入力側ＩＤＴ２２ａに入力される。
【００２１】
ＳＡＷフィルタ２０は、信号が入力されると圧電基板２４にＳＡＷを励起する。そしてＳＡＷが出力側ＩＤＴ２２ｂに到達すると、電気信号に変換されて出力される。このＳＡＷフィルタ２０によって、必要とされる信号が通過されるとともにノイズが除去される。そしてＳＡＷフィルタ２０でノイズが除去された信号は、ＩＣチップ３０の出力側バッファ３４に入力される。
【００２２】
このＳＡＷフィルタ２０は受動素子なのでＳＡＷフィルタ２０に入力された信号振幅が減衰してしまうが、再度出力側バッファ３４で信号を増幅しているのでＳＡＷフィルタモジュール１０から出力される信号が減衰していることはない。そしてＳＡＷフィルタモジュール１０の出力側バッファ３４から出力された信号は、ＳＡＷフィルタモジュール１０の出力端子１４を介して外部に出力される。
【００２３】
なお入力側バッファ３２と出力側バッファ３４には、マッチング回路が設けられているので、マッチング回路とＳＡＷフィルタ２０が極めて短距離で接続されている。このためＳＡＷフィルタ２０のマッチングを容易に取ることができ、ＳＡＷフィルタ２０は所望のフィルタ特性が得られる。
【００２４】
このようなＳＡＷフィルタモジュール１０は、ＳＡＷフィルタ２０の入力側および出力側に信号増幅回路を備えたバッファ３２，３４が設けられているので、ＳＡＷフィルタ２０に入力される信号や、ＳＡＷフィルタ２０から出力された信号を増幅することができる。したがってＳＡＷフィルタ２０で信号が減衰されても、ＳＡＷフィルタモジュール１０から減衰したままの信号が出力されるのを防止できる。
【００２５】
またＳＡＷフィルタモジュール１０は、ＳＡＷフィルタ２０の入力側および出力側にマッチング回路を備えたバッファ３２，３４が設けられているので、このモジュール１０内でＳＡＷフィルタ２０のインピーダンスマッチングを取ることができる。したがってバッファ３２，３４とＳＡＷフィルタ２０が極めて短距離で接続されているので、ＳＡＷフィルタ２０のマッチングを容易に取ることができ、ＳＡＷフィルタモジュール１０に入力される信号を通過できるフィルタ特性を得ることができる。
【００２６】
なおＳＡＷフィルタモジュール１０の動作説明等では、入力側バッファ３２および出力側バッファ３４の両方に信号増幅回路を設けた場合で説明したが、入力側バッファ３２および出力側バッファ３４のいずれか一方に信号増幅回路を設けた場合は次のようになる。すなわち信号増幅回路が入力側バッファ３２のみに設けられた場合、ＳＡＷフィルタ２０で信号が減衰してもＳＡＷフィルタモジュール１０から所望の振幅の信号が出力されるように入力側バッファ３２で信号を増幅すればよい。また信号増幅回路が出力側バッファ３４のみに設けられた場合、ＳＡＷフィルタ２０から減衰された信号が出力されても、ＳＡＷフィルタモジュール１０から所望の振幅の信号が出力されるように出力側バッファ３４で信号を増幅すればよい。
【００２７】
また上述した実施形態では、出力側バッファ３４の出力が１対の出力端子１４に接続されて、ここから信号がＳＡＷフィルタモジュール１０の外部に出力される構成であるがこの形態に限定されることはない。すなわち出力側バッファ３４に設けられる出力ドライバ数を複数として、多出力とすることもできる。
【００２８】
また図１は２本の信号線を用いて信号を伝送する構成を示しているが、上述した実施形態は図１に示す場合に限定されることはない。すなわち上述した実施形態は、図２に示されるように、１本の信号線を用いて信号を伝送する場合にも適用することができる。
【００２９】
次に、上述したＳＡＷフィルタモジュール１０が電子機器に搭載された一例について説明する。そして以下の説明では、ＳＡＷフィルタモジュール１０を電子機器の一例である信号伝送装置に用いた場合について説明する。この信号伝送装置は、同期式の伝送において送信側がデータとタイミングクロックを送る伝送方式である。
【００３０】
図３は信号伝送装置のブロック図である。信号伝送装置４０は、データ信号を送信する送信側ＩＣチップ４２を有している。送信側ＩＣチップ４２にクロック信号を出力する発振器４４が接続されており、送信側ＩＣチップ４２および発振器４４で送信段４６が構成されている。そして送信側ＩＣチップ４２は、データ信号の送信部４８およびクロック信号の周波数を高くする第１位相同期（ＰＬＬ）回路５０を備えている。
【００３１】
図４に第１ＰＬＬ回路のブロック図を示す。第１ＰＬＬ回路５０は、この回路５０の入力端子５２を介して発振器４４と接続されるとともに、帰還ループ５４に接続された位相比較器５６を有している。位相比較器５６は、発振器４４から入力したクロック信号と帰還ループ５４から入力したクロック信号に基づいて差信号電圧を出力するものである。この位相比較器５６の出力は、低域通過フィルタ（ＬＰＦ）５８に接続されている。ＬＰＦ５８は、差信号電圧の高調波成分等を取り除くものである。このＬＰＦ５８の出力は、電圧制御型発振器（ＶＣＯ）６０に接続されている。ＶＣＯ６０は、ＬＰＦ５８から入力した差信号電圧に応じた周波数のクロック信号を出力するものである。このＶＣＯ６０の出力は、帰還ループ５４と第１ＰＬＬ回路５０の出力端子６２に接続されている。この帰還ループ５４には、ＶＣＯ６０から出力されたクロック信号を、設定されている分周比で分周する分周回路６４が設けられている。
【００３２】
そして図３に示される送信部４８は、第１ＰＬＬ回路５０の出力に接続されている。送信部４８の出力は、データ信号伝送ライン６６に接続されている。この送信部４８は、データ信号と、第１ＰＬＬ回路５０からクロック信号を入力し、このクロック信号に同期させてデータ信号をデータ信号伝送ライン６６に伝送させるものである。
【００３３】
また送信側ＩＣチップ４２にクロック信号伝送ライン６８が接続されており、発振器４４から出力されたクロック信号を第１ＰＬＬ回路５０の入力段の手前で分岐させて、クロック信号をクロック信号伝送ライン６８に導くようになっている。なおクロック信号伝送ライン６８は、データ信号伝送ライン６６に並べて設けられていればよい。すなわちクロック信号伝送ライン６８とデータ信号伝送ライン６６を伝送する信号の伝送距離を同じにするのが好ましい。
【００３４】
そして信号伝送装置４０は、受信側ＩＣチップ７０を備えている。受信側ＩＣチップ７０は、受信部７２および第２ＰＬＬ回路７４を備えている。第２ＰＬＬ回路７４は、送信側ＩＣチップ４２に設けられた第１ＰＬＬ回路５０と同構成であり、クロック信号伝送ライン６８に接続されている。すなわち第２ＰＬＬ回路７４を構成している位相比較器の入力は、クロック信号伝送ライン６８および帰還ループに接続されている。なおクロック信号伝送ライン６８には、ＳＡＷフィルタモジュール１０が設けられている。このＳＡＷフィルタモジュール１０は、受信側ＩＣチップ７０の近くに設けられるのが好ましい。すなわちＳＡＷフィルタモジュール１０は、クロック信号伝送ライン６８が受信側ＩＣチップ７０と接続している個所の近くに設けられるのが好ましい。
【００３５】
また受信部７２は、第２ＰＬＬ回路７４の出力に接続されるとともに、データ信号伝送ライン６６に接続されている。この受信部７２は、第２ＰＬＬ回路７４から入力したクロック信号に基づいて、データ信号伝送ライン６６を介して送信部４８から入力したデータ信号の「０」または「１」の判定を行うものである。すなわち受信部７２は、クロック信号に基づいてデータ信号を読み取るものである。そして受信部７２は、読み取ったデータ信号を出力する。
【００３６】
次に、信号伝送装置４０の動作について説明する。まず発振器４４は、送信側ＩＣチップ４２にクロック信号を出力する。そして送信側ＩＣチップ４２に入力されたクロック信号は、第１ＰＬＬ回路５０およびクロック信号伝送ライン６８に供給される。第１ＰＬＬ回路５０は、クロック信号の周波数を高くして送信部４８に出力する。そして送信部４８は、入力したデータ信号をクロック信号に同期させて、データ信号伝送ライン６６を介して受信側ＩＣチップ７０に伝送する。
【００３７】
またクロック信号伝送ライン６８に供給されたクロック信号は、ＳＡＷフィルタモジュール１０に入力される。このＳＡＷフィルタモジュール１０は、クロック信号伝送ライン６８を伝送している間に入ったノイズをクロック信号から除去する。すなわち、クロック信号がクロック信号伝送ライン６８を伝送している間に様々な周波数のノイズがクロック信号に重畳してしまうが、ＳＡＷフィルタモジュール１０によってクロック信号の周波数に応じた周波数の信号のみを通過させれば、ノイズが除去される。
【００３８】
なおＳＡＷフィルタモジュール１０は、その内部においてマッチングが完結しているので、ＳＡＷフィルタ２０は所望のフィルタ特性が得られる。このためＳＡＷフィルタモジュール１０は、クロック信号のみを通過させてノイズを除去することができ、クロック信号にジッタが生じるのを防いでいる。そしてＳＡＷフィルタモジュール１０は、ＳＡＷフィルタ２０を通過することにより減衰したクロック信号を、モジュール１０内に設けられたバッファ３２，３４により増幅して出力する。
【００３９】
この後、ＳＡＷフィルタモジュール１０から出力されたクロック信号は、受信側ＩＣチップ７０に入力される。このときＳＡＷフィルタモジュール１０から受信側ＩＣチップ７０までの伝送距離が長くなるとクロック信号にノイズが入る可能性が高くなる。しかし本実施形態の場合、ＳＡＷフィルタモジュール１０は、クロック信号が受信側ＩＣチップ７０に入力される直前に設けられているので、ＳＡＷフィルタモジュール１０の出力から受信側ＩＣチップ７０までのクロック信号伝送ライン６８の距離は極めて短く、この間にノイズが入ることがない。したがって受信側ＩＣチップ７０に設けられた第２ＰＬＬ回路７４には、ジッタが生じていないクロック信号が入力される。
【００４０】
そして第２ＰＬＬ回路７４は、クロック信号の周波数を高くして送信部４８に出力する。受信部７２は、データ信号伝送ライン６６を介して入力したデータ信号を第２ＰＬＬ回路７４から出力されたクロック信号に基づいて読み取る。なおデータ信号伝送ライン６６とクロック信号伝送ライン６８の距離を同様にして、クロック信号がデータ信号に並行して伝送されているので、これらの信号の間で位相ずれが発生していない。したがって受信部７２は、クロック信号に基づいて、データ信号の「０」または「１」の判定を正確に行うことができる。そして受信部７２は、判定後のデータ信号を出力する。このようにしてデータ信号が送信側ＩＣチップ４２から受信側ＩＣチップ７０に伝送される。
【００４１】
このような信号伝送装置４０は、クロック信号伝送ライン６８にＳＡＷフィルタモジュール１０を設けているので、クロック信号がＳＡＷフィルタモジュール１０を通過することにより、ノイズを除去することができる。したがって信号伝送装置４０は、ノイズに起因するジッタが発生していないクロック信号を得ることができる。
【００４２】
また信号伝送装置４０に用いられるＳＡＷフィルタモジュール１０は、その内部に信号増幅回路を備えているので振幅が十分な大きさのクロック信号を出力することができる。したがって信号伝送装置４０は、ＳＡＷフィルタモジュール１０でクロック信号を減衰させることなく、受信側ＩＣチップ７０にクロック信号を供給することができる。
【００４３】
またＳＡＷフィルタモジュール１０は、ＳＡＷフィルタ２０のインピーダンスマッチングをＳＡＷフィルタモジュール１０内で完結できるため、ＳＡＷフィルタモジュール１０をクロック信号伝送ライン６８に接続したときにインピーダンスマッチングを取る必要がなくなる。すなわち従来技術に係る信号伝送装置のように、送信側ＩＣチップと受信側ＩＣチップにＳＡＷフィルタのマッチング回路を設ける必要が無くなる。したがって本実施形態に係る信号伝送装置４０では、ＳＡＷフィルタ２０の所望のフィルタ特性が容易に得ることができるので、クロック信号伝送ライン６８を伝送しているクロック信号を確実に通過させることができ、ノイズを取り除くことができる。
【００４４】
また信号伝送装置４０は、クロック信号が受信側ＩＣチップ７０に入力される直前にジッタフィルタとなるＳＡＷフィルタモジュール１０を設けているので、このＳＡＷフィルタモジュール１０でノイズが除去されたクロック信号に対して新たにノイズか入ることがなく、受信側ＩＣチップ７０にクロック信号のみを入力させることができる。すなわち信号伝送装置４０は、ジッタが生じていないクロック信号を受信側ＩＣチップ７０に入力させることができる。したがって信号伝送装置４０の受信部７２は、ジッタが生じていないクロック信号に基づいてデータ信号を正確に読み取ることができる。
【００４５】
また信号伝送装置４０は、ジッタフィルタとして構成が簡単なＳＡＷフィルタモジュール１０を用いているので、小型で安価にシステムを構成することができる。
【００４６】
なお上述した実施形態では、ＳＡＷフィルタモジュール１０が１つの出力を有する形態であるが、ＳＡＷフィルタモジュール１０内に設けられた出力側バッファ３４の出力ドライバ数を複数として、多出力とすることもできる。これにより複数の受信側ＩＣチップに、ジッタが発生していないクロック信号を供給することができる。
【００４７】
また上述した実施形態では、送信側ＩＣチップ４２に第１ＰＬＬ回路５０を設けるとともに、受信側ＩＣチップ７０に第２ＰＬＬ回路７４を設けて、クロック信号の周波数を高くしているが、実施形態によっては第１ＰＬＬ回路５０と第２ＰＬＬ回路７４を設けない構成にしてもよい。すなわち送信部４８は、クロック信号を発振器４４から直接入力する構成とし、受信部７２は、クロック信号伝送ライン６８からクロック信号を直接入力する構成としてもよい。
【００４８】
また第１ＰＬＬ回路５０の出力をクロック信号伝送ライン６８に接続し、受信部７２は、クロック信号伝送ライン６８からクロック信号を直接入力する構成としてもよい。この構成の場合、第１ＰＬＬ回路５０は、クロック信号を予め定めた周波数帯域に拡散するスペクトラム拡散タイプのＰＬＬ回路としてもよい。この構成の場合、ＳＡＷフィルタ２０は拡散させた前記周波数帯域を通過させるフィルタとする。
【００４９】
また実施例では、クロック信号源として送信側ＩＣチップ４２付近に配置する発振器４４を用いて説明したが、この発振器４４の代わりに他の装置から伝送されてくるクロック信号を用いることもできる。
【図面の簡単な説明】
【００５０】
【図１】ＳＡＷフィルタモジュールの説明図である。
【図２】変形例に係るＳＡＷフィルタモジュールの説明図である。
【図３】信号伝送装置のブロック図である。
【図４】第１ＰＬＬ回路のブロック図を示す。
【符号の説明】
【００５１】
１０………ＳＡＷフィルタモジュール、２０………ＳＡＷフィルタ、３０………ＩＣチップ、３２………入力側バッファ、３４………出力側バッファ、４０………信号伝送装置、４２………送信側ＩＣチップ、４４………発振器、４８………送信部、６６………データ信号伝送ライン、６８………クロック信号伝送ライン、７０………受信側ＩＣチップ、７２………受信部。
【図１】
2007049483.tif 000003
【図２】
2007049483.tif 000004
【図３】
2007049483.tif 000005
【図４】
2007049483.tif 000006